(57)【要約】【課題】  作業素質検査を機械的に行い自動的に採点や集計が可能な方法及びその装置、並びにこの方法をコンピュータに実行させるためのプログラムを記録したプログラム記録媒体を提供する。【解決手段】  タッチパネル入力部２に検査用画像マトリクスを表示させるデータ等を本体部１のＲＯＭにあらかじめ格納させておき、本体部１のＣＰＵは、検査用画像マトリクスを画面に表示して被検者Ｐ２に提示させ、画面上のいずれかのカタカナがチェックされたかを判別し、タッチパネル入力部２からの入力データを受け取って本体部１のＲＡＭに記憶させ、ある検査用画像マトリクスによる作業素質検査が終了したときには、被検者Ｐ２の作業結果データをＲＡＭから読み出させ、正答データをＲＯＭから読み出させ、正答データと被検者結果データとを対照し、採点規則に基づき採点を行い、採点の結果を検査員Ｐ１に出力させる。【選択図】図１
2005279088.tif 000002
【特許請求の範囲】
【請求項１】
画面に画像を表示するとともに、前記画面上の画面領域のいずれかが選択されたことを検出し入力情報として出力する入力手段と、
情報を一時的に記憶する一時情報記憶手段と、
情報を読出し出力可能に格納する読出情報格納手段と、
データに対して演算を行い、情報を処理し、又は前記入力手段と一時情報記憶手段と読出情報格納手段を制御する演算制御手段を備えた作業素質検査装置を用い、
前記入力手段に検査用画像マトリクスを表示させるための画像作成用情報と、当該画像作成用情報に対応する正答である正答情報との組を複数組と、採点規則に関する情報を前記読出情報格納手段に読出し出力可能にあらかじめ格納させておき、
前記演算制御手段により、前記読出情報格納手段にあらかじめ記憶された画像作成用情報に基づき、要素画像が複数個横１列に並設されて構成される検査用画像列が縦方向に複数列並設されて構成される検査用画像マトリクスを画面に表示して作業素質検査を受ける被検者に提示させ、前記画面上の前記要素画像のいずれかが前記被検者により選択された場合に、前記入力手段から出力されてくる当該選択された要素画像の情報である入力情報を受け取り、前記一時情報記憶手段に記憶させ、ある検査用画像マトリクスによる前記作業素質検査が終了したときには、前記一時情報記憶手段から被検者の作業の結果である被検者結果情報を読み出させるとともに、前記画像作成用情報の正答情報を前記読出情報格納手段から読み出させ、前記正答情報と前記被検者結果情報とを対照し、前記採点規則に基づき採点を行い、前記採点の結果を検査員に出力させるよう制御すること
を特徴とする作業素質検査方法。
【請求項２】
請求項１記載の作業素質検査方法において、
前記演算制御手段は、前記ある検査用画像マトリクスによる前記作業素質検査が終了したときには、前記被検者に検査用画像マトリクスが画面表示された検査開始から前記検査終了までの期間における各検査用画像列ごとの正答率を前記検査員に出力させるよう制御すること
を特徴とする作業素質検査方法。
【請求項３】
請求項２記載の作業素質検査方法において、
前記演算制御手段は、前記ある検査用画像マトリクスによる前記作業素質検査が終了したときには、前記検査開始から前記検査終了までの期間における各検査用画像列ごとの正答率の増減傾向を前記検査員に出力させるよう制御すること
を特徴とする作業素質検査方法。
【請求項４】
請求項１記載の作業素質検査方法において、
前記演算制御手段は、時刻を検出する計時手段を有し、前記ある検査用画像マトリクスによる前記作業素質検査が終了したときには、前記被検者に検査用画像マトリクスが画面表示された検査開始時刻からの経過時間に対応する前記被検者の状況を前記検査員に出力させるよう制御すること
を特徴とする作業素質検査方法。
【請求項５】
請求項４記載の作業素質検査方法において、
前記演算制御手段は、前記ある検査用画像マトリクスによる前記作業素質検査が終了したときには、前記検査開始時刻から前記検査終了の時刻までに前記被検者が要した作業時間を前記検査員に出力させるよう制御すること
を特徴とする作業素質検査方法。
【請求項６】
請求項４記載の作業素質検査方法において、
前記演算制御手段は、前記ある検査用画像マトリクスによる前記作業素質検査が終了したときには、前記検査開始時刻から前記検査終了の時刻までの期間における各検査用画像列ごとの作業時間を前記検査員に出力させるよう制御すること
を特徴とする作業素質検査方法。
【請求項７】
請求項６記載の作業素質検査方法において、
前記演算制御手段は、前記ある検査用画像マトリクスによる前記作業素質検査が終了したときには、前記検査開始時刻から前記検査終了の時刻までの期間における各検査用画像列ごとの作業時間の増減傾向を前記検査員に出力させるよう制御すること
を特徴とする作業素質検査方法。
【請求項８】
請求項６記載の作業素質検査方法において、
前記演算制御手段は、前記ある検査用画像マトリクスによる前記作業素質検査が終了したときには、前記検査開始時刻から前記検査終了の時刻までの期間における各検査用画像列ごとの作業時間と正答率との関係を前記検査員に出力させるよう制御すること
を特徴とする作業素質検査方法。
【請求項９】
請求項４記載の作業素質検査方法において、
前記演算制御手段は、前記ある検査用画像マトリクスによる前記作業素質検査が終了したときには、前記検査開始時刻から前記検査終了の時刻までの期間のうちの所定の要素期間ごとの正答率を前記検査員に出力させるよう制御すること
を特徴とする作業素質検査方法。
【請求項１０】
請求項１記載の作業素質検査方法において、
前記作業素質検査装置は、前記画面上の画面領域のいずれかが選択された場合の圧力を検出し入力時圧力情報として出力する入力時圧力検出手段を備え、
前記演算制御手段は、前記ある検査用画像マトリクスによる前記作業素質検査が終了したときには、前記被検者に検査用画像マトリクスが画面表示された検査開始から前記検査終了までの期間における正答又は誤答と前記入力時圧力情報との関係を前記検査員に出力させるよう制御すること
を特徴とする作業素質検査方法。
【請求項１１】
請求項１記載の作業素質検査方法において、
前記作業素質検査装置は、既に実施された作業素質検査において得られた被検者の採点の結果である採点結果情報と当該被検者に付与された被検者識別情報とを関連づけて記録し読出し出力可能な被検者情報記録手段を備え、
前記演算制御手段は、ある被検者識別情報を持つ被検者の前記作業素質検査を行った場合には、当該被検者識別情報を持つ被検者の過去の採点結果情報と今回の採点結果の比較結果を前記検査員に出力させるよう制御すること
を特徴とする作業素質検査方法。
【請求項１２】
請求項１記載の作業素質検査方法において、
前記作業素質検査装置を複数用い、
データに対して演算を行い、情報を処理し、又は前記複数の作業素質検査装置の各演算制御手段を統括制御する統括制御装置に、前記複数の作業素質検査装置を接続し、
前記統括制御装置は、前記複数の作業素質検査装置からの複数の被検者についての前記採点の結果を検査員に出力させるよう制御すること
を特徴とする作業素質検査方法。
【請求項１３】
作業素質検査を受ける被検者に、要素画像が複数個横１列に並設されて構成される検査用画像列が縦方向に複数列並設されて構成される検査用画像マトリクスを画面に表示するとともに、前記画面上の前記要素画像のいずれかが選択されたことを検出し入力情報として出力する入力手段と、
前記入力情報を一時的に記憶する一時情報記憶手段と、
前記入力手段に検査用画像マトリクスを表示させるための画像作成用情報と、当該画像作成用情報に対応する正答である正答情報との組を複数組と、採点規則に関する情報を読出し出力可能に格納する読出情報格納手段と、
ある検査用画像マトリクスによる前記作業素質検査が終了したときに、当該画像作成用情報の正答情報と、前記被検者の作業の結果である被検者結果情報とを対照し、前記採点規則に基づき採点を行い、前記採点の結果を検査員に出力する演算制御手段を
備えたこと
を特徴とする作業素質検査装置。
【請求項１４】
画面に画像を表示するとともに、前記画面上の画面領域のいずれかが選択されたことを検出し入力情報として出力する入力手段と、
情報を一時的に記憶する一時情報記憶手段と、
情報を読出し出力可能に格納する読出情報格納手段と、
データに対して演算を行い、情報を処理し、又は前記入力手段と一時情報記憶手段と読出情報格納手段を制御する演算制御手段を
備えた作業素質検査装置の前記演算制御手段に実行させるためのプログラムを記録したコンピュータ読取可能なプログラム記録媒体であって、
前記プログラムは、被検者に作業素質検査を行う作業素質検査方法であり、
前記作業素質検査方法は、
前記入力手段に検査用画像マトリクスを表示させるための画像作成用情報と、当該画像作成用情報に対応する正答である正答情報との組を複数組と、採点規則に関する情報を前記読出情報格納手段に読出し出力可能に格納させ、
前記演算制御手段により、前記読出情報格納手段にあらかじめ記憶された画像作成用情報に基づき、要素画像が複数個横１列に並設されて構成される検査用画像列が縦方向に複数列並設されて構成される検査用画像マトリクスを画面に表示して作業素質検査を受ける被検者に提示させ、前記画面上の前記要素画像のいずれかが前記被検者により選択された場合に、前記入力手段から出力されてくる当該選択された要素画像の情報である入力情報を受け取り、前記一時情報記憶手段に記憶させ、ある検査用画像マトリクスによる前記作業素質検査が終了したときには、前記一時情報記憶手段から被検者の作業の結果である被検者結果情報を読み出させるとともに、前記画像作成用情報の正答情報を前記読出情報格納手段から読み出させ、前記正答情報と前記被検者結果情報とを対照し、前記採点規則に基づき採点を行い、前記採点の結果を検査員に出力させるよう制御すること
を特徴とする作業素質検査プログラム記録媒体。
【発明の詳細な説明】
【技術分野】
【０００１】
本発明は、作業課題に対応する適応力をコンピュータを用いて測る作業素質検査方法、作業素質検査装置、及び作業素質検査プログラム記録媒体に関するものである。
【背景技術】
【０００２】
人間の心理状態を測定するため検査の一つに、一般には「アメフリ検査」と称される文字探索課題を用いた作業素質検査がある。当該検査では、検査用文字パターンが印刷された検査用紙を使用する。検査用文字パターンは、カタカナが複数個（例えば数十文字程度）、不規則な順序で横一列に並設されて文字列が構成され、この文字列が縦方向に複数列（例えば数十列程度）並設されて構成される。この作業素質検査を受ける者（以下、「被検者」という。）は、検査を監督する者（以下、「検査員」という。）の開始の合図により、作業を開始する。
【０００３】
作業の内容は、上記、不規則な順序で並設された検査用文字パターンの文字列の左端から右端へ向かって１字ずつ見ていき、特定の文字（例えば、「ア」又は「メ」又は「フ」若しくは「リ」のカタカナ）が探索できた場合には、その文字に「／（斜線）」などのチェック印を鉛筆等の筆記具により記す、というものである。文字列の右端まで達した場合は、１段下の文字列の左端から同様の作業を始める。そして、検査員の終了の合図に従い、作業を停止する。その後、被検者の検査用紙は回収され、所定の正答と対照されて採点され、その反応数及び指示に対する正誤数／正誤率により、被検者の作業素質が測定されるものである。
【０００４】
文字探索課題を用いた作業素質検査（「アメフリ検査」）は、作業課題に対する対応力を測定するための心理検査として、企業や官公庁における社員や職員の採用時の選抜、面接の補助資料、人員の部署配置の参考資料、社員教育、自己理解や自己啓発のための資料などとして利用されている。また、各種、各レベルの教育機関において、生徒や学生の個人的な能力や心理行動特性を把握・理解することが可能となるため、学習・進路指導等の資料として活用されている。
【０００５】
従来の当該検査は、紙に検査用文字パターンが印刷されたものを媒体として行われるため、採点や集団における集計などは、検査員等による手作業で行われていた。このため、煩雑であり、作業ミスが発生し易く、採点や集計の機械化及び自動化が要請されていた。心理テストを機械化したものとしては、色を選択する検査用具が知られている（例えば、特許文献１参照）。しかし、文字探索課題を用いた作業素質検査を機械化あるいは自動化したものではない。
【０００６】
また、従来の作業素質検査は、紙に検査用文字パターンが印刷されたものを媒体として行われるため、再検査時の課題変更が検査員の指示内容のみであり、文字パターンそのものの課題変更を適宜行うことが要請されていた。
【０００７】
また、従来の作業素質検査の装置化は、課題内容や指示内容は紙を媒体とした検査と等価にすることができたが、紙面上の被検者の探索反応と等価の反応を取得するのが困難であり、画面上の被検者反応を取得できる装置が要請されていた。
【特許文献１】特開２００２−３０６４５９号公報
【発明の開示】
【発明が解決しようとする課題】
【０００８】
本発明は上記の問題を解決するためになされたものであり、本発明の解決しようとする課題は、作業素質検査を機械的に行い自動的に採点や集計が可能な方法及びその装置、並びにこの方法をコンピュータに実行させるためのプログラムを記録したプログラム記録媒体を提供することにある。
【課題を解決するための手段】
【０００９】
上記課題を解決するため、本発明の請求項１に係る作業素質検査方法は、
画面に画像を表示するとともに、前記画面上の画面領域のいずれかが選択されたことを検出し入力情報として出力する入力手段と、
情報を一時的に記憶する一時情報記憶手段と、
情報を読出し出力可能に格納する読出情報格納手段と、
データに対して演算を行い、情報を処理し、又は前記入力手段と一時情報記憶手段と読出情報格納手段を制御する演算制御手段を備えた作業素質検査装置を用い、
前記入力手段に検査用画像マトリクスを表示させるための画像作成用情報と、当該画像作成用情報に対応する正答である正答情報との組を複数組と、採点規則に関する情報を前記読出情報格納手段に読出し出力可能にあらかじめ格納させておき、
前記演算制御手段により、前記読出情報格納手段にあらかじめ記憶された画像作成用情報に基づき、要素画像が複数個横１列に並設されて構成される検査用画像列が縦方向に複数列並設されて構成される検査用画像マトリクスを画面に表示して作業素質検査を受ける被検者に提示させ、前記画面上の前記要素画像のいずれかが前記被検者により選択された場合に、前記入力手段から出力されてくる当該選択された要素画像の情報である入力情報を受け取り、前記一時情報記憶手段に記憶させ、ある検査用画像マトリクスによる前記作業素質検査が終了したときには、前記一時情報記憶手段から被検者の作業の結果である被検者結果情報を読み出させるとともに、前記画像作成用情報の正答情報を前記読出情報格納手段から読み出させ、前記正答情報と前記被検者結果情報とを対照し、前記採点規則に基づき採点を行い、前記採点の結果を検査員に出力させるよう制御すること
を特徴とする。
【００１０】
また、本発明の請求項２に係る作業素質検査方法は、
請求項１記載の作業素質検査方法において、
前記演算制御手段は、前記ある検査用画像マトリクスによる前記作業素質検査が終了したときには、前記被検者に検査用画像マトリクスが画面表示された検査開始から前記検査終了までの期間における各検査用画像列ごとの正答率を前記検査員に出力させるよう制御すること
を特徴とする。
【００１１】
また、本発明の請求項３に係る作業素質検査方法は、
請求項２記載の作業素質検査方法において、
前記演算制御手段は、前記ある検査用画像マトリクスによる前記作業素質検査が終了したときには、前記検査開始から前記検査終了までの期間における各検査用画像列ごとの正答率の増減傾向を前記検査員に出力させるよう制御すること
を特徴とする。
【００１２】
また、本発明の請求項４に係る作業素質検査方法は、
請求項１記載の作業素質検査方法において、
前記演算制御手段は、時刻を検出する計時手段を有し、前記ある検査用画像マトリクスによる前記作業素質検査が終了したときには、前記被検者に検査用画像マトリクスが画面表示された検査開始時刻からの経過時間に対応する前記被検者の状況を前記検査員に出力させるよう制御すること
を特徴とする。
【００１３】
また、本発明の請求項５に係る作業素質検査方法は、
請求項４記載の作業素質検査方法において、
前記演算制御手段は、前記ある検査用画像マトリクスによる前記作業素質検査が終了したときには、前記検査開始時刻から前記検査終了の時刻までに前記被検者が要した作業時間を前記検査員に出力させるよう制御すること
を特徴とする。
【００１４】
また、本発明の請求項６に係る作業素質検査方法は、
請求項４記載の作業素質検査方法において、
前記演算制御手段は、前記ある検査用画像マトリクスによる前記作業素質検査が終了したときには、前記検査開始時刻から前記検査終了の時刻までの期間における各検査用画像列ごとの作業時間を前記検査員に出力させるよう制御すること
を特徴とする。
【００１５】
また、本発明の請求項７に係る作業素質検査方法は、
請求項６記載の作業素質検査方法において、
前記演算制御手段は、前記ある検査用画像マトリクスによる前記作業素質検査が終了したときには、前記検査開始時刻から前記検査終了の時刻までの期間における各検査用画像列ごとの作業時間の増減傾向を前記検査員に出力させるよう制御すること
を特徴とする。
【００１６】
また、本発明の請求項８に係る作業素質検査方法は、
請求項６記載の作業素質検査方法において、
前記演算制御手段は、前記ある検査用画像マトリクスによる前記作業素質検査が終了したときには、前記検査開始時刻から前記検査終了の時刻までの期間における各検査用画像列ごとの作業時間と正答率との関係を前記検査員に出力させるよう制御すること
を特徴とする。
【００１７】
また、本発明の請求項９に係る作業素質検査方法は、
請求項４記載の作業素質検査方法において、
前記演算制御手段は、前記ある検査用画像マトリクスによる前記作業素質検査が終了したときには、前記検査開始時刻から前記検査終了の時刻までの期間のうちの所定の要素期間ごとの正答率を前記検査員に出力させるよう制御すること
を特徴とする。
【００１８】
また、本発明の請求項１０に係る作業素質検査方法は、
請求項１記載の作業素質検査方法において、
前記作業素質検査装置は、前記画面上の画面領域のいずれかが選択された場合の圧力を検出し入力時圧力情報として出力する入力時圧力検出手段を備え、
前記演算制御手段は、前記ある検査用画像マトリクスによる前記作業素質検査が終了したときには、前記被検者に検査用画像マトリクスが画面表示された検査開始から前記検査終了までの期間における正答又は誤答と前記入力時圧力情報との関係を前記検査員に出力させるよう制御すること
を特徴とする。
【００１９】
また、本発明の請求項１１に係る作業素質検査方法は、
請求項１記載の作業素質検査方法において、
前記作業素質検査装置は、既に実施された作業素質検査において得られた被検者の採点の結果である採点結果情報と当該被検者に付与された被検者識別情報とを関連づけて記録し読出し出力可能な被検者情報記録手段を備え、
前記演算制御手段は、ある被検者識別情報を持つ被検者の前記作業素質検査を行った場合には、当該被検者識別情報を持つ被検者の過去の採点結果情報と今回の採点結果の比較結果を前記検査員に出力させるよう制御すること
を特徴とする。
【００２０】
また、本発明の請求項１２に係る作業素質検査方法は、
請求項１記載の作業素質検査方法において、
前記作業素質検査装置を複数用い、
データに対して演算を行い、情報を処理し、又は前記複数の作業素質検査装置の各演算制御手段を統括制御する統括制御装置に、前記複数の作業素質検査装置を接続し、
前記統括制御装置は、前記複数の作業素質検査装置からの複数の被検者についての前記採点の結果を検査員に出力させるよう制御すること
を特徴とする。
【００２１】
また、本発明の請求項１３に係る作業素質検査装置は、
作業素質検査を受ける被検者に、要素画像が複数個横１列に並設されて構成される検査用画像列が縦方向に複数列並設されて構成される検査用画像マトリクスを画面に表示するとともに、前記画面上の前記要素画像のいずれかが選択されたことを検出し入力情報として出力する入力手段と、
前記入力情報を一時的に記憶する一時情報記憶手段と、
前記入力手段に検査用画像マトリクスを表示させるための画像作成用情報と、当該画像作成用情報に対応する正答である正答情報との組を複数組と、採点規則に関する情報を読出し出力可能に格納する読出情報格納手段と、
ある検査用画像マトリクスによる前記作業素質検査が終了したときに、当該画像作成用情報の正答情報と、前記被検者の作業の結果である被検者結果情報とを対照し、前記採点規則に基づき採点を行い、前記採点の結果を検査員に出力する演算制御手段を
備えたこと
を特徴とする。
【００２２】
また、本発明の請求項１４に係る作業素質検査プログラム記録媒体は、
画面に画像を表示するとともに、前記画面上の画面領域のいずれかが選択されたことを検出し入力情報として出力する入力手段と、
情報を一時的に記憶する一時情報記憶手段と、
情報を読出し出力可能に格納する読出情報格納手段と、
データに対して演算を行い、情報を処理し、又は前記入力手段と一時情報記憶手段と読出情報格納手段を制御する演算制御手段を
備えた作業素質検査装置の前記演算制御手段に実行させるためのプログラムを記録したコンピュータ読取可能なプログラム記録媒体であって、
前記プログラムは、被検者に作業素質検査を行う作業素質検査方法であり、
前記作業素質検査方法は、
前記入力手段に検査用画像マトリクスを表示させるための画像作成用情報と、当該画像作成用情報に対応する正答である正答情報との組を複数組と、採点規則に関する情報を前記読出情報格納手段に読出し出力可能に格納させ、
前記演算制御手段により、前記読出情報格納手段にあらかじめ記憶された画像作成用情報に基づき、要素画像が複数個横１列に並設されて構成される検査用画像列が縦方向に複数列並設されて構成される検査用画像マトリクスを画面に表示して作業素質検査を受ける被検者に提示させ、前記画面上の前記要素画像のいずれかが前記被検者により選択された場合に、前記入力手段から出力されてくる当該選択された要素画像の情報である入力情報を受け取り、前記一時情報記憶手段に記憶させ、ある検査用画像マトリクスによる前記作業素質検査が終了したときには、前記一時情報記憶手段から被検者の作業の結果である被検者結果情報を読み出させるとともに、前記画像作成用情報の正答情報を前記読出情報格納手段から読み出させ、前記正答情報と前記被検者結果情報とを対照し、前記採点規則に基づき採点を行い、前記採点の結果を検査員に出力させるよう制御すること
を特徴とする。
【発明の効果】
【００２３】
本発明に係る作業素質検査方法、作業素質検査装置、及び作業素質検査プログラム記録媒体によれば、画面に画像を表示するとともに画面上の画面領域のいずれかが選択されたことを検出し入力情報として出力する入力手段と、情報を一時的に記憶する一時情報記憶手段と、情報を読出し出力可能に格納する読出情報格納手段と、データに対して演算を行い情報を処理し又は前記各手段を制御する演算制御手段を備えた作業素質検査装置を用い、入力手段に検査用画像マトリクスを表示させるための画像作成用情報と当該画像作成用情報に対応する正答である正答情報との組を複数組と、採点規則に関する情報を読出情報格納手段に読出し出力可能にあらかじめ格納させておき、演算制御手段により、画像作成用情報に基づき要素画像が複数個横１列に並設されて構成される検査用画像列が縦方向に複数列並設されて構成される検査用画像マトリクスを画面に表示して作業素質検査を受ける被検者に提示させ、画面上の要素画像のいずれかが被検者により選択された場合に、入力手段から出力されてくる当該選択された要素画像の情報である入力情報を受け取り、一時情報記憶手段に記憶させ、ある検査用画像マトリクスによる作業素質検査が終了したときには、一時情報記憶手段から被検者の作業の結果である被検者結果情報を読み出させるとともに、画像作成用情報の正答情報を読出情報格納手段から読み出させ、正答情報と前記被検者結果情報とを対照し、採点規則に基づき採点を行い、採点の結果を検査員に出力させるよう制御するように構成したので、採点及び集計を自動化することができる、という利点を有している。また、多数の検査用画像マトリクスを記憶しておき、適宜、異なる検査用画像マトリクスにより作業素質検査を行うことができる、という利点も有している。
【発明を実施するための最良の形態】
【００２４】
以下に説明する実施例は、画面に画像を表示するとともに画面上の画面領域のいずれかが選択されたことを検出し入力情報として出力する入力手段と、情報を一時的に記憶する一時情報記憶手段と、情報を読出し出力可能に格納する読出情報格納手段と、データに対して演算を行い情報を処理し又は前記各手段を制御する演算制御手段を備えた作業素質検査装置を用い、入力手段に検査用画像マトリクスを表示させるための画像作成用情報と当該画像作成用情報に対応する正答である正答情報との組を複数組と、採点規則に関する情報を読出情報格納手段に読出し出力可能にあらかじめ格納させておき、演算制御手段により、画像作成用情報に基づき要素画像が複数個横１列に並設されて構成される検査用画像列が縦方向に複数列並設されて構成される検査用画像マトリクスを画面に表示して作業素質検査を受ける被検者に提示させ、画面上の要素画像のいずれかが被検者により選択された場合に、入力手段から出力されてくる当該選択された要素画像の情報である入力情報を受け取り、一時情報記憶手段に記憶させ、ある検査用画像マトリクスによる作業素質検査が終了したときには、一時情報記憶手段から被検者の作業の結果である被検者結果情報を読み出させるとともに、画像作成用情報の正答情報を読出情報格納手段から読み出させ、正答情報と前記被検者結果情報とを対照し、採点規則に基づき採点を行い、採点の結果を検査員に出力させるよう制御するように構成した構成であり、本発明を実現するための構成として最良の形態である。
【実施例１】
【００２５】
以下、本発明の実施例について、図面を参照しながら説明する。
【００２６】
本発明の第１実施例である作業素質検査装置のハードウェアの全体構成を示す図である。図１に示すように、この作業素質検査装置１０１は、本体部２と、タッチパネル入力部２と、スイッチ３と、ディスク装置４と、画像表示部５と、プリンタ６を備えて構成されている。
【００２７】
図２は、図１に示す作業素質検査装置の本体部の構成を示すブロック図である。図２に示すように、本体部１は、入出力インタフェイス１１と、ＣＰＵ（Ｃｅｎｔｒａｌ  Ｐｒｏｃｅｓｓｉｎｇ  Ｕｎｉｔ：中央演算処理装置）１２と、ＲＯＭ（Ｒｅａｄ  Ｏｎｌｙ  Ｍｅｍｏｒｙ：読出し専用メモリ）１３と、ＲＡＭ（Ｒａｎｄｏｍ  Ａｃｃｅｓｓ  Ｍｅｍｏｒｙ：随時書込み読出しメモリ）１４を有している。このような構成により、本体部１は、全体としてコンピュータを構成している。
【００２８】
入出力インタフェイス１１は、信号線又はその集合であるバスと、各種コネクタ、各種ポート、ハードディスク装置の読取り・書込み制御機構などを有しており、外部の各装置からＣＰＵ１２へ送られる信号等が入力される部分であり、かつ、ＣＰＵ１２からの信号を外部へ出力するための部分である。
【００２９】
ＣＰＵ１２は、この作業素質検査装置１０１の各部を統括し、各種演算やプログラム実行等の処理を行う部分であり、特許請求の範囲における演算制御手段に相当している。ＣＰＵ１２には、図示はしていないが、ＣＰＵ１２内部での電流（信号）の授受を行うための信号線である内部バスを有しており、この内部バスに、演算部と、レジスタと、クロック生成部と、命令処理部等を有している。
【００３０】
ＣＰＵ１２内の演算部は、一般に、レジスタに記憶されている各種データに対して、四則演算（加算、減算、乗算、及び除算）を行い、又は論理演算（論理積、論理和、否定、排他的論理和など）を行い、又はデータ比較、若しくはデータシフトなどの処理を実行する部分である。処理の結果は、レジスタに格納されるのが一般的である。
【００３１】
レジスタは、一般に、１語のデータを記憶する部分である。通常、ＣＰＵ１２内には、複数のレジスタが設けられている。クロック生成部は、ＣＰＵ１２の各部分の時間の同期をとるための刻時信号（クロック信号）を生成する部分である。ＣＰＵ１２は、このクロック信号に基づいて動作する。命令処理部は、演算部等が実行すべき命令の取り出し、その解読、及びその実行などを制御し処理する部分である。
【００３２】
ＲＯＭ１３は、ＣＰＵ１２を制御するための制御プログラムや、ＣＰＵ１２が用いる各種データ等を格納している部分である。ＲＯＭ１３としては、ハードディスク装置、半導体メモリなどが用いられる。ハードディスク装置は、図示はしていないが、その内部に、円盤状の磁気ディスクを有しており、この磁気ディスクをディスク駆動機構により回転駆動し、磁気ヘッドをヘッド駆動機構によって磁気ディスクの任意位置に移動させ、磁気ディスク表面の磁性膜を磁気ヘッドからの書込電流によって磁化することによりデータを記録し、磁化された磁性膜の上を磁気ヘッドが移動する際に磁気ヘッドのコイル等に流れる電流を検出することにより記録データを読み出す装置である。ＲＯＭ１３は、特許請求の範囲における読出情報格納手段に相当している。
【００３３】
ＲＡＭ１４は、ＣＰＵにより演算された途中のデータ等を一時記憶する部分である。ＲＡＭ１４は、例えば、半導体メモリ等により構成される。ＲＡＭ１４は、特許請求の範囲における一時情報記憶手段に相当している。
【００３４】
図３は、図１に示すタッチパネル入力部の構成を示す図である。図３に示すように、タッチパネル入力部２は、きょう体２０と、画面２１と、入力ペン２８を有して構成されている。画面２１の下部には、液晶表示装置、又はＣＲＴ（Ｃａｔｈｏｄｅ  Ｒａｙ  Ｔｕｂｅ：陰極線管表示装置）等が配置され、画像が表示されるようになっている。
【００３５】
図４は、図３に示すタッチパネル入力部の原理を説明する図である。図４に示すように、タッチパネル入力部２は、画面２１の上に、プラスチックフィルム８５と、透明電極８４が積層配置され、透明電極８４の上に間隙保持部材８３が設置され、その上に透明電極８２とプラスチックフィルム８１が積層配置されて構成されている。なお、プラスチックフィルム８１及び８５と、間隙保持部材８３は、透明なプラスチック等で形成されている。
【００３６】
プラスチックフィルム８１及び８５は、例えば、約０．１〜０．２ミリメートル程度の厚さのポリエステルフィルムなどから構成されている。また、透明電極８４としては、例えば、上記のポリエステルフィルムの面に、酸化インジウムスズ（ＩＴＯ）を細長い短冊状に約０．０１マイクロメートル程度の厚さに多数平行に蒸着する。同様に、透明電極８２についても、例えば、上記のポリエステルフィルムの面に、酸化インジウムスズ（ＩＴＯ）を細長い短冊状に約０．０１マイクロメートル程度の厚さに多数平行に蒸着する。そして、透明電極８４の短冊の長手方向と、透明電極８２の短冊の長手方向が直角となるように配置する。これにより２枚重なった透明電極８２と透明電極８４により、方眼紙のマス目のような構造が形成される。これらの透明電極８２の電極網の各端には、それぞれ導電線が接続されており、透明電極８２の電極網の各端にも、それぞれ導電線が接続されている。透明電極８４と透明電極８２の間には、高さが約３０マイクロメートル程度の間隙保持部材８３を配置しておく。これにより、透明電極８４と透明電極８２は、通常の状態では接触しないようにしておく。
【００３７】
このような構成により、タッチパネル入力部２の表面のプラスチックフィルム８２に、入力ペン２８の先端２８ａで触れると、ポリエステルフィルムは柔らかいため、凹む。これにより、上の透明電極８２の電極網のある点と、下の透明電極８４の対応点が接触する。これにより、透明電極８２と透明電極８４との間で通電するが、透明電極８２の電極網と透明電極８４の電極網は２つ合わせてＸＹ座標を構成しているので、各透明電極からの電気的な値を検出することにより、入力ペン２８の先端２８ａが押圧した位置を検出することができる。また、入力ペン２８の先端２８ａで強く押圧した場合には、広い領域の透明電極が接触し、入力ペン２８の先端２８ａで弱く押圧した場合には、狭い領域の透明電極が接触することになる。このため、各透明電極からの電気的な値を検出することにより、入力ペン２８の先端２８ａが押圧した圧力の強弱の程度を検出することができる。このタッチパネル入力部２は、特許請求の範囲における入力手段に相当している。
【００３８】
スイッチ３は、入出力インタフェイス１１を介してＣＰＵ１２に接続されている。
【００３９】
画像表示部５は、ＣＲＴモニタ、液晶表示パネル、プラズマディスプレイ装置等を有しており、本体部１の演算結果や処理したデータを、画像や文字等として画面に表示する部分である。
【００４０】
ディスク装置４は、外部から装填された磁気ディスク又は光磁気ディスクＤに格納されたデータを読み出してＣＰＵ１２に出力し、あるいは、ＣＰＵ１２からのデータをディスクＤに記録する装置である。ディスク装置４としては、ＣＤ−ＲＯＭ装置、フレキシブル・ディスク（ＦＤ）装置等を含む磁気ディスク装置、光ディスク装置、光磁気ディスク装置等が含まれる。また、ＰＣカード装置等の各種記憶用カード装置も含まれる。
【００４１】
そのほか、本体部１は、図示はしていないが、外部出力端子、モデムなどの通信装置、ＬＡＮ（Ｌｏｃａｌ  Ａｒｅａ  Ｎｅｔｗｏｒｋ）ポート等を有しており、ＣＰＵ１２の演算結果や処理したデータを、電気信号として外部へ出力又は送信することが可能となっている。
【００４２】
上記したＲＯＭ１３には、画像作成用データがあらかじめ格納されている。この画像作成用データは、特許請求の範囲における画像作成用情報に相当している。画像作成用データは、タッチパネル入力部２の画面２１に検査用画像マトリクス２４（図３参照）を表示させるためのデータである。不規則なカタカナ２２が複数個横１列に並設されて文字列が構成され、文字列が縦方向に複数列並設されて検査用画像マトリクス２４が構成される。ここに、カタカナ２２は、特許請求の範囲における要素画像に相当し、文字列は、特許請求の範囲における検査用画像列に相当している。また、上記の検査用画像マトリクス２４については、例えば、「ア」又は「メ」又は「フ」若しくは「リ」のカタカナに遭遇した場合にそのカタカナに「／」などのチェックを記す作業の場合には、その正答が存在するので、その正答のデータも、ＲＯＭ１３にあらかじめ格納されている。この正答データは、特許請求の範囲における正答情報に相当している。また、ＲＯＭ１３には、採点規則に関する情報も格納されている。採点規則は、例えば、「正答の場合に１点を加算する」といった規則である。
【００４３】
ＣＰＵ１２は、図示してはいないが、ソフトウェアで構成されるタイマー（時間計測手段）を有している。なお、作業素質検査装置１０１内にハードウェアとしてタイマーを備えてもよい。
【００４４】
次に、上記した作業素質検査装置１０１による作業素質検査方法について説明する。
【００４５】
まず、検査員Ｐ１がスイッチ３を操作すると、ＣＰＵ１２は、タイマーにより計時を開始する。また、ＣＰＵ１２は、ＲＯＭ１３に格納されている画像作成用データを読み出してタッチパネル入力部２に出力する。これにより、タッチパネル入力部２の画面２１には、カタカナ２２が不規則な順序で縦横に並べられた検査用画像マトリクス２４が表示され、被検者Ｐ２に提示される。
【００４６】
被検者Ｐ２は、例えば、上記の検査用画像マトリクス２４について、「ア」又は「メ」又は「フ」若しくは「リ」のカタカナに遭遇した場合には、入力ペン２８を用いてそのカタカナに「／」などのチェック印を記すなどの作業を行う。
【００４７】
ＣＰＵ１２は、タッチパネル入力部２からおくられてくるタッチパネル入力部２の出力を監視し、その出力に応じて、タッチパネル入力部２の画面２１上のカタカナのいずれかが被検者Ｐ２により選択（チェック）されたかを判別し、ＲＡＭ１４に一時記憶させる。ここに、タッチパネル入力部２からおくられてくるタッチパネル入力部２の出力は、特許請求の範囲における入力情報に相当している。
【００４８】
その後、検査員Ｐ１の検査終了の旨のスイッチ操作などにより、ある検査用画像画像マトリクスについての作業素質検査が終了したと判別したときには、ＣＰＵ１２は、ＲＡＭ１４の記憶内容から、被検者Ｐ２の作業の結果であるデータを読み出す。この被検者Ｐ２の作業の結果であるデータは、特許請求の範囲における被検者結果情報に相当している。
【００４９】
次に、ＣＰＵ１２は、作業素質検査を行った検査用画像マトリクスに対する正答データを、ＲＯＭ１３から読み出す。その後、ＣＰＵ１２は、被検者Ｐ２の作業結果データを、正答データと対照する。そして、ＲＯＭ１３から読み出した採点規則に基づいて採点を行い、採点の結果を出力させる。採点結果の出力は、プリンタ６による印字出力、画像表示部５による画像表示などにより行われる。
【００５０】
なお、上記した作業素質検査装置１０１による作業素質検査は、他の方法によっても可能である。
【００５１】
この場合には、上記した作業素質検査をＣＰＵ１２に行わせるためのコンピュータプログラムが記録されたディスクＤ（図１を参照）を用いる。
【００５２】
ディスクＤには、上記した作業素質検査をＣＰＵ１２に制御させる作業素質検査プログラムが格納されている。この場合、ディスクＤは、特許請求の範囲における作業素質検査プログラム記録媒体に相当している。ディスクＤを用いる場合には、ソフトウェアの内容を作業素質検査装置１０１のＲＯＭ１３、特にハードディスク装置等の記憶領域にインストールした後に、このプログラムを実行することができる。また、ディスクＤ内のソフトウェア（コンピュータプログラム）を作業素質検査装置１０１のＲＯＭ１３（ハードディスク装置等）の記憶領域にインストールを行うことはせずに、ＣＰＵ１２がプログラムを実行する際に、制御命令やデータ等を、ディスクＤにその都度アクセスして読み出すようにしてもよい。
【００５３】
なお、本発明は、上記各実施例に限定されるものではない。上記実施例は、例示であり、本発明の特許請求の範囲に記載された技術的思想と実質的に同一な構成を有し、同様な作用効果を奏するものは、いかなるものであっても本発明の技術的範囲に包含される。
【００５４】
例えば、本発明における要素画像としては、上記したカタカナのほか、数字、ひらがな、漢字、アルファベット等の文字、％や＄等の記述用記号、トランプカードの絵柄、鉄道で標識等に用いられる記号などを用いることができる。
【００５５】
また、ＣＰＵ１２は、ある検査用画像マトリクス（例えば２４）による作業素質検査が終了したときには、被検者Ｐ２に検査用画像マトリクスが画面表示された検査開始時点から検査終了時点までの期間における各文字列（各検査用画像列）ごとの正答率（例えば、全体の作業文字数に対する正答文字数の百分率など）を、プリンタ６の印字出力又は画像表示部５の画像等により、検査員Ｐ１に出力させるよう制御するように構成してもよい。
【００５６】
また、ＣＰＵ１２は、ある検査用画像マトリクス（例えば２４）による作業素質検査が終了したときには、検査開始時点から検査終了時点までの期間における各文字列（各検査用画像列）ごとの正答率（百分率等）の増減傾向を検査員Ｐ１に出力させるよう制御するようにしてもよい。この出力は、プリンタ６の印字出力又は画像表示部５の画像等を利用することができる。
【００５７】
また、ＣＰＵ１２は、上記した時刻を検出するタイマーにより、ある検査用画像マトリクスによる作業素質検査が終了したときには、被検者Ｐ２に検査用画像マトリクスが画面表示された検査開始時刻からの経過時間に対応する被検者Ｐ２の状況を検査員Ｐ１に出力させるよう制御するようにしてもよい。この場合のタイマーは、特許請求の範囲における計時手段に相当している。この被検者Ｐ２の状況としては、例えば、検査開始時刻から検査終了の時刻までに被検者Ｐ２が要した全体の作業時間をあげることができる。あるいは、被検者Ｐ２の状況としては、検査開始時刻から検査終了の時刻までの期間における各文字列（各検査用画像列）ごとの作業時間をあげることができる。
【００５８】
また、ＣＰＵ１２は、ある検査用画像マトリクスによる作業素質検査が終了したときには、検査開始時刻から検査終了の時刻までの期間における各文字列（各検査用画像列）ごとの作業時間の増減傾向、例えば、徐々に作業時間が長くなっている（作業がだんだん遅くなっている）など、を検査員Ｐ１に出力させるよう制御するように構成してもよい。
【００５９】
また、ＣＰＵ１２は、ある検査用画像マトリクスによる作業素質検査が終了したときには、検査開始時刻から検査終了の時刻までの期間における各文字列（各検査用画像列）ごとの作業時間と正答率との関係を検査員に出力させるよう制御するように構成してもよい。
【００６０】
また、ＣＰＵ１２は、ある検査用画像マトリクスによる作業素質検査が終了したときには、検査開始時刻から検査終了の時刻までの期間のうちの所定の要素期間ごとの正答率を検査員Ｐ１に出力させるよう制御するように構成してもよい。ここに、要素期間とは、３０秒ごとの期間とか、１分間ごとの期間をいう。これにより、検査の後半になると誤りが多くなる、などの傾向を把握することが可能となる。
【００６１】
また、上記したタッチパネル入力部２におけるチェック時の圧力検出機能を利用して、ＣＰＵ１２は、ある検査用画像マトリクスによる作業素質検査が終了したときには、被検者Ｐ２に検査用画像マトリクスが画面表示された検査開始時点から検査終了時点までの期間における正答又は誤答と、入力時圧力データとの関係を検査員Ｐ１に出力させるよう制御するように構成してもよい。ここに、タッチパネル入力部２は、特許請求の範囲における入力時圧力検出手段に相当し、入力時圧力データは、特許請求の範囲における入力字圧力情報に相当している。
【００６２】
また、作業素質検査装置は、既に実施された作業素質検査において得られた被検者Ｐ２の採点の結果である採点結果情報と、当該被検者Ｐ２に付与された被検者識別情報（ＩＤデータ）とを関連づけて記録し、かつ読出し出力可能な被検者情報記録手段を備え、ＣＰＵ１２は、ある被検者識別情報（ＩＤデータ）を持つ被検者Ｐ２の作業素質検査を行った場合には、当該被検者識別情報（ＩＤデータ）を持つ被検者Ｐ２の過去の採点結果情報と今回の採点結果の比較結果を検査員Ｐ１に出力させるよう制御するように構成してもよい。ここに、被検者情報記録手段としては、ＲＡＭ１４、あるいはディスク装置４を利用することができる。
【００６３】
また、作業素質検査装置を複数用い、データに対して演算を行い又は情報を処理し又は複数の作業素質検査装置の各演算制御手段（ＣＰＵ）を統括制御する統括制御装置を配置し、この統括制御装置に、複数の作業素質検査装置を接続し、統括制御装置が、複数の作業素質検査装置からの複数の被検者についての採点の結果を集計するなどして検査員Ｐ１に出力させるよう制御するように構成してもよい。
【産業上の利用可能性】
【００６４】
本発明は、心理テスト等をコンピュータ等を用いて実施するソフトウェア等の産業、及びコンピュータ等を利用した作業素質検査装置を製造するコンピュータ製造業等で実施可能であり、これらの産業で利用可能である。
【図面の簡単な説明】
【００６５】
【図１】本発明の第１実施例である作業素質検査装置のハードウェアの全体構成を示す図である。
【図２】図１に示す作業素質検査装置の本体部の構成を示すブロック図である。
【図３】図１に示すタッチパネル入力部の構成を示す図である。
【図４】図３に示すタッチパネル入力部の原理を説明する図である。
【符号の説明】
【００６６】
１  本体部
２  タッチパネル入力部
３  スイッチ
４  ディスク装置
５  画像表示部
６  プリンタ
１１  入出力インタフェイス
１２  ＣＰＵ
１３  ＲＯＭ
１４  ＲＡＭ
２０  きょう体
２１  画面
２２  カタカナ
２４  検査用画像マトリクス
２８  入力ペン
２８ａ  ペン先端
８１  プラスチックフィルム
８２  透明電極
８３  間隙保持部材
８４  透明電極
８５  プラスチックフィルム
１０１  作業素質検査装置
Ｄ  ディスク
Ｅ  眼
Ｐ１  検査員
Ｐ２  被検者
【図１】
2005279088.tif 000003
【図２】
2005279088.tif 000004
【図３】
2005279088.tif 000005
【図４】
2005279088.tif 000006